(57)【要約】【課題】光ディスクのクランプ装置において、光ディスクを損傷することなく、光ディスクの着脱作業の作業性を良好に維持しながら、光ディスクの高速回転時における光ディスクの位置ずれおよび脱落を防止する。【解決手段】クランプ装置は、光ディスクＤＫを保持する保持ベース１０と、光ディスクＤＫの内周面に当接して同光ディスクを保持ベースに固定するクランプボール３２と、同クランプボール３２を径方向外側に付勢するコイルスプリング３４と、同クランプボール３２を収容するとともに、上方から押圧する押圧部材３７とを備えている。そして、クランプボール３２をコイルスプリング３４によって径方向外側に付勢して光ディスクＤＫを保持ベース１０上に固定した状態で、同クランプボール３２を上方から押圧部材３７によって押圧して位置を固定する。【選択図】  図１
2006338805.tif 000002
【特許請求の範囲】
【請求項１】
円柱状に形成され、その上面中央部にて上方に突出した軸部を有し、前記軸部を光ディスクの中心孔に貫通させて前記軸部の外側上面にて光ディスクを保持する保持ベースと、
前記保持ベースの上面であって前記軸部の外側に配置されるとともに径方向の所定の範囲内で変位が許容され、前記保持ベース上面に光ディスクが置かれた状態で光ディスクの中心孔の内周面に当接して光ディスクを前記保持ベースに対して固定するクランプボールと、
前記軸部と前記クランプボールとの間に配置されて前記クランプボールを変位可能に支持するとともに径方向外側に付勢する付勢手段とを備え、
スピンドルモータによって前記軸部の軸線回りに回転駆動される光ディスクのクランプ装置において、
前記軸部に上下方向に変位可能に組み付けられ、下方に移動して前記クランプボールを押圧する押圧部材を設けたことを特徴とする光ディスクのクランプ装置。
【請求項２】
請求項１に記載の光ディスクのクランプ装置において、さらに、
前記押圧部材を下方に移動させる駆動手段を備えた光ディスクのクランプ装置。
【請求項３】
請求項２に記載の光ディスクのクランプ装置において、
前記駆動手段は、空気圧を減圧するバキューム装置である光ディスクのクランプ装置。
【請求項４】
請求項３に記載の光ディスクのクランプ装置において、
前記保持ベースは、光ディスクが置かれる上面に開口する孔部を有し、同孔部を介して前記バキューム装置によって光ディスクを吸着する光ディスクのクランプ装置。
【請求項５】
請求項１ないし請求項４のうちのいずれか１つに記載の光ディスクのクランプ装置において、
前記付勢手段は、
外周面にテーパ部を有する円柱状に形成され、前記軸部に上下方向に変位可能に組み付けられる押圧体と、
前記軸部と前記押圧体との間に配置されて前記押圧体を下方に付勢するスプリングとを有し、
前記クランプボールは、前記押圧体におけるテーパ部に当接して径方向外側に付勢される光ディスクのクランプ装置。
【請求項６】
請求項１ないし請求項５のうちのいずれか１つに記載の光ディスクのクランプ装置において、
前記押圧部材は、上面が閉塞された円筒体に構成され、前記保持ベースの上面に配置されたクランプボールを収容するとともに、前記クランプボールの位置に対応する前記円筒体の外周面に同クランプボールの直径より小さい大きさの切り欠き部を有し、
前記クランプボールにおける径方向外側への変位は、前記押圧部材の切り欠き部によって規制される光ディスクのクランプ装置。
【請求項７】
請求項１ないし請求項６のうちのいずれか１つに記載の光ディスクのクランプ装置において、
前記押圧部材の下方への移動によって同押圧部材と対向する距離が短くなる部分に弾性部材を配置した光ディスクのクランプ装置。
【発明の詳細な説明】
【技術分野】
【０００１】
本発明は、ＣＤ，ＤＶＤなどの光ディスクに信号を記録し、または光ディスクに記録された信号を再生する光ディスク装置に用いられる光ディスクのクランプ装置に関する。
【背景技術】
【０００２】
従来から、ＣＤ，ＤＶＤなどの光ディスクに信号を記録し、または光ディスクに記録された信号を再生する光ディスク装置においては、光ディスクを回転させるターンテーブルに同光ディスクを固定する光ディスクのクランプ装置が設けられている。一般に、光ディスクのクランプ装置は、光ディスクを載置する載置部の中央部に同一円周上に略均等に配置されるとともに、同光ディスクの中央部に設けられた中心孔の外側に向かってそれぞれ突出する複数の球体を設け、同複数の球体によって光ディスクの中心孔の内周面を径方向外側に押圧して光ディスクを保持している。
【０００３】
例えば、下記特許文献１に記載の光ディスクのクランプ装置においては、光ディスクの中心孔の内径に対応する外径に形成された円筒状のホルダの外周面に、略均等に６つの孔部が形成されている。この６つの孔部に、それぞれ光ディスクの中心孔の内周面を押圧するクランプボールが出没自在に設けられている。これらのクランプボールは、ホルダ内に収容された円錐上のコイルスプリングの外周面にそれぞれ接触しており、同コイルスプリングの伸縮に応じて光ディスクの径方向に変位するようになっている。具体的には、コイルスプリングが縮むことによりクランプボールがホルダの外側に押し出される。これにより、光ディスクの内周面を径方向外側に押圧して同光ディスクを固定し保持している。
【特許文献１】特開２００２−６３７５５号公報
【０００４】
ところで、近年、光ディスク装置においては、光ディスクを高速に回転させる倍速化が進んでいる。光ディスクを高速で回転させた場合、光ディスクおよび各クランプボールには大きな遠心力が掛かる。この場合、光ディスクの偏心などの製造上の誤差およびスピンドルモータを始めとする光ディスク装置の組み立て誤差などにより、各クランプボールに作用する径方向の力のバランスが崩れて、光ディスクが正規のクランプ位置からずれたり、光ディスクがクランプ装置から脱落したりすることがある。このため、光ディスクに対して正確に信号を記録し、または光ディスクに記録された信号を正確に再生することができないという問題があった。また、このような光ディスクのずれおよび脱落を防止するために光ディスクの内周面にクランプボールを押圧する力を増大させると、光ディスクの内周面を損傷したり、光ディスクをクランプ装置に着脱する作業が困難になるなどの問題もあった。
【発明の開示】
【０００５】
本発明は上記問題に対処するためなされたもので、その目的は、光ディスクを損傷することなく、光ディスクのクランプ装置への着脱作業の作業性を良好に維持しながら、光ディスクの高速回転時において、光ディスクが正規のクランプ位置からずれたり、脱落したりすることがない光ディスクのクランプ装置を提供することにある。
【０００６】
上記目的を達成するため、本発明の特徴は、円柱状に形成され、その上面中央部にて上方に突出した軸部を有し、軸部を光ディスクの中心孔に貫通させて軸部の外側上面にて光ディスクを保持する保持ベースと、保持ベースの上面であって軸部の外側に配置されるとともに径方向の所定の範囲内で変位が許容され、保持ベース上面に光ディスクが置かれた状態で光ディスクの中心孔の内周面に当接して光ディスクを保持ベースに対して固定するクランプボールと、軸部とクランプボールとの間に配置されてクランプボールを変位可能に支持するとともに径方向外側に付勢する付勢手段とを備え、スピンドルモータによって軸部の軸線回りに回転駆動される光ディスクのクランプ装置において、軸部に上下方向に変位可能に組み付けられ、下方に移動してクランプボールを押圧する押圧部材を設けたことにある。
【０００７】
この場合、さらに、前記押圧部材を下方に移動させる駆動手段を備えるようにするとよい。そして、前記駆動手段は、例えば、空気圧を減圧するバキューム装置にするとよい。また、前記付勢手段は、外周面にテーパ部を有する円柱状に形成され、軸部に上下方向に変位可能に組み付けられる押圧体と、軸部と前記押圧体との間に配置され押圧体を下方に付勢するスプリングとを有し、クランプボールは、押圧体におけるテーパ部に当接して径方向外側に付勢されるようにするとよい。
【０００８】
このように構成した本発明の特徴によれば、光ディスクの中心孔の内周面を押圧して光ディスクを保持ベースに固定するクランプボールを、同クランプボールの上方から押圧して固定している。これにより、光ディスクが高速で回転する場合であっても、クランプボールの位置は固定され光ディスクが正規のクランプ位置からずれたり、脱落したりすることがない。この場合、クランプボールを押圧する力の方向が、クランプボールが光ディスクを押圧する方向に直交するとともに、同クランプボールの表面に対して垂直であるため、押圧部材がクランプボールを押圧する力によってクランプボールが光ディスクを押圧する力が増大することがない。このため、光ディスクの内周面を損傷することがない。さらに、クランプボールの固定は光ディスクを固定した後に行うため、光ディスクをクランプ装置に着脱する際に同光ディスクを損傷することもない。この結果、光ディスクを損傷することなく、光ディスクのクランプ装置への着脱作業の作業性を良好に維持しながら、光ディスクの高速回転時において、光ディスクが正規の保持位置からずれたり、脱落したりすることを防止することができる。
【０００９】
また、本発明の他の特徴は、前記保持ベースは、光ディスクが置かれる上面に開口する孔部を有し、同孔部を介してバキューム装置によって光ディスクを吸着するようにしたことにある。これにより、光ディスクをより強力に保持ベースに固定することができ、光ディスクの高速回転時におけるクランプ位置からのずれや脱落を防止することができる。
【００１０】
また、本発明の他の特徴は、前記押圧部材は、上面が閉塞された円筒体に構成され、保持ベースの上面に配置されたクランプボールを収容するとともに、クランプボールの位置に対応する円筒体の外周面に同クランプボールの直径より小さい大きさの切り欠き部を有し、クランプボールにおける径方向外側への変位は、押圧部材の切り欠き部によって規制されるようにしたことにある。これによれば、径方向に所定の範囲で変位するクランプボールの径方向外側の変位を押圧部材の切り欠き部によって規制することができる。
【００１１】
また、本発明の他の特徴は、前記押圧部材の下方への移動によって同押圧部材と対向する距離が短くなる部分に弾性部材を配置したことにある。これによれば、押圧部材がクランプボールを押圧する際、押圧部材は弾性部材を弾性変形させながらクランプボールを押圧する。このため、クランプボールおよびクランプボールの取り付け位置に製造上の誤差があっても、すべてのクランプボールを略均一の力で押圧することができ確実に固定することができる。
【発明を実施するための最良の形態】
【００１２】
以下、本発明に係る光ディスクのクランプ装置の一実施形態について図面を参照しながら説明する。図１ないし図３は、ＣＤ，ＤＶＤなどの光ディスクＤＫを保持する光ディスクのクランプ装置を示している。これらのうち図１は、同光ディスクのクランプ装置の全体を示す斜視図である。また、図２は図１に示す光ディスクのクランプ装置において２−２線に沿って見た同クランプ装置の縦断面図であり、図３は図１に示す光ディスクのクランプ装置の上面図である。この光ディスクのクランプ装置は、光ディスクＤＫに信号を記録し、または光ディスクに記録された信号を再生する光ディスク装置（図示せず）において、光ディスクを所定の位置に保持するために用いられる。
【００１３】
光ディスクのクランプ装置は、光ディスクＤＫを載置する保持ベース１０を備えている。保持ベース１０は、ステンレス材により構成されており、２つの異なる外径からなる段付きの円柱状に形成されている。すなわち、光ディスクのクランプ装置の外形を形成する第１外径部１１ａと、同第１外径部１１ａより小さい外径に形成された第２外径部１１ｂとから構成されている。これらのうち第２外径部１１ｂの外周面には、同第２外径部１１ｂを径方向に貫通するとともに、保持ベース１０の中心部にて十字状に交差する２つの孔からなる連通孔１２がそれぞれ開口している。
【００１４】
保持ベース１０の上面中央部には、上方に突出した円筒状の軸部１３が形成されているとともに、軸部１３の径方向外側には環状の凹部１４が形成されている。軸部１３の内周面を形成する孔部１３ａは、軸部１３の上面から連通孔１２に連通しているとともに、その上部にねじ部が形成されている。凹部１４の底面には、保持ベース１０の下面に貫通する４つのボルト孔が設けられており、同孔部を介して保持ベース１０がスピンドルモータ（図示せず）に連結されたテーブル２１に六角ボルト２２によって固定されている。
【００１５】
凹部１４の径方向外側における保持ベース１０の上面には、光ディスクＤＫを載置する載置面１５が形成されている。この載置面１５には、軸部１３を中心として環状に形成された溝部１６，１７が設けられている。溝部１６，１７の底面には、軸部１３を中心として十字状に配置された各４つの吸引孔１６ａ，１７ａの一端がそれぞれ開口している。これらの吸引孔１６ａ，１７ａの他端はそれぞれ連通孔１２に連通している。すなわち、これら４つの各吸引孔１６ａ，１７ａは、連通孔１２によって互いに連通しているとともに、同連通孔１２を介して軸部１３の孔部１３ａにも連通している。
【００１６】
保持ベース１０の底面中央部には、テーブル２１の上面中央部に突出して設けられた連結部２１ａが挿入される連結孔１８が設けられている。連結孔１８は、連通孔１２の２つの孔の交差位置に連通している。なお、テーブル２１の連結部２１ａの上面には、吸引孔２１ｂが開口している。吸引孔２１ｂは、テーブル２１を貫通して他端が空気を吸引するバキューム装置２３に連通している。したがって、保持ベース１０の載置面１５に載置される光ディスクＤＫは、バキューム装置２３の作動により溝部１６，１７に生じる負圧によって同載置面１５に吸着される。
【００１７】
保持ベース１０の凹部１４内には、円筒状のボール受け３１が固着されている。ボール受け３１は、ステンレス材により構成されており、その上面が保持ベース１０の載置面１５より所定量（例えば、３ｍｍ）だけ低い高さに形成されている。ボール受け３１の外径は、凹部１４の内径に対応しており、凹部１４内に嵌め込まれるようになっている。また、ボール受け３１の内径は、軸部１３の外周面と一定の間隔を保つ径に設定されている。なお、このボール受け３１は、保持ベース１０の凹部１４に嵌め込まれた状態で接着剤にて固着される。ボール受け３１の上面には、同一円周上に等間隔に３つのクランプボール３２が載置されている。クランプボール３２は、それぞれステンレス材により構成されており、ボール受け３１の上面を保持ベース１０の径方向に転がりながら光ディスクＤＫの内周面に当接して、同光ディスクＤＫを保持ベース１０に対して固定する。
【００１８】
保持ベース１０の軸部１３の外周面には、円筒状の押圧体３３が上下方向に変位可能な状態で設けられている。押圧体３３は、ステンレス材により構成されており、その外周面における上部の外径が上方に向かって広がって形成されたテーパ部３３ａを有している。テーパ部３３ａは、３つのクランプボール３２の各表面に当接している。押圧体３３の内周面は、軸部１３の外周面に対して摺動可能に形成された第１内径部３３ｂと、同第１内径部３３ｂの上方に形成され押圧体３３の上面に開口する第１内径部３３ｂより大きな内径の第２内径部３３ｃとから構成されている。第２内径部３３ｂ内にはコイルスプリング３４が組み込まれている。コイルスプリング３４は、保持ベース１０の軸部１３に固着される受体３５の下面と第２内径部３３ｂの底部との間に介装され、押圧体３３を下方に付勢する。この場合、押圧体３３のテーパ部３３ａは、各クランプボール３２をテーパ面に対して垂直方向に押圧して同クランプボール３２を径方向外側にそれぞれ付勢する。
【００１９】
保持ベース１０の軸部１３の上部には、円柱状の受体３５が固着されている。受体３５は、ステンレス材により構成されており、円柱状の本体３５ａの外周面中央部が外側に張り出したフランジ部３５ｂを有している。また、本体３５ａの下面中央部には下方に突出した軸部３５ｃが形成されており、同軸部３５ｃの外周面に形成されたねじ部が軸部１３における孔部１３ａの上部に設けられたねじ部に螺合して受体３５が軸部１３に固定されている。この受体３５には、上面中央部から軸部３５ｃの下面に貫通して軸部１３の孔部１３ａに連通する孔部３５ｄが設けられている。また、フランジ部３５ｂの上面には、ゴム材、スポンジ、コイルスプリングなどの弾性材料により構成された環状の弾性部材３６が接着剤により固着されている。
【００２０】
受体３５の外側には、上面が閉塞された円筒状の押圧部材３７が受体３５に対して上下方向に変位可能な状態で組み付けられている。押圧部材３７は、ステンレス材により構成されており、その内部に軸部１３、クランプボール３２、押圧体３３、コイルスプリング３４、受体３５および弾性部材３６をそれぞれ収容している。押圧部材３７の外周面は、同外周面の上部を形成する第１外径部３７ａと、同第１外径部３７ａの下部から下方に向かって広がった後、光ディスクＤＫの中心孔の内径より若干小さな外径に形成された第２外径部３７ｂとから構成されている。
【００２１】
第２外径部３７ｂには、クランプボール３２の直径より若干小さい幅で同直径と略同じ高さの長方形状の切り欠き３７ｃが、押圧部材３７の内部に収容された各クランプボール３２の位置に対応してそれぞれ形成されている。この切り欠き３７ｃからは、押圧体３３によって径方向外側に付勢されたクランプボール３２の一部がそれぞれ突出している。すなわち、各クランプボール３２の径方向外側の変位は、同切り欠き３７ｃによってそれぞれ規制されている。また、切り欠き３７ｃの上面３７ｄは、押圧部材３７が下方に移動した場合、各クランプボール３２の上側の表面を押圧する。
【００２２】
押圧部材３７の内周面は、受体３５のフランジ部３５ｂの外周面に対して摺動可能な内径に設定されており、押圧部材３７はフランジ部３５ｂの外周面に沿って上下方向に変位する。押圧部材３７の内部上面と受体３５の上面との間に形成される空間３８は受体３５の孔部３５ｄと連通しており、同空間３８内の空気がバキューム装置２３によって吸引されることにより、押圧部材３７が下方に移動するようになっている。なお、受体３５のフランジ部３５ｂの下面より下方における第１外径部３７ａの下部には等間隔に３つのねじ孔が設けられ、同各ねじ孔にストッパーねじ３９がそれぞれ螺合されている。３つのストッパーねじ３９は、第１外径部３７ａから押圧部材３７の内部に進入して押圧部材３７が上方に移動した場合、受体３５のフランジ部３５ｂの下面に当接して押圧部材３７の上方への移動を規制している。
【００２３】
保持ベース１０の第２外径部１１ｂの外周面には、円筒状のカバー４１が固着されている。カバー４１は、ステンレス材により構成されており、その外径が保持ベース１０の第１外径部１１ａと同一の外径に形成されているとともに、その内径が同保持ベース１０の第２外径部１１ｂの外径に対応する内径に形成されている。このカバー４１は、保持ベース１０の第２外径部１１ｂの外周面に接着剤により固着され、第２外径部１１ｂの外周面に開口する連通孔１２の４つの開口部を塞いでいる。
【００２４】
このように構成された光ディスクのクランプ装置は、光ディスク装置において光ディスクを回転させるスピンドルモータに連結される。具体的には、スピンドルモータの回転軸（図示せず）に連結されたテーブル２１に光ディスクのクランプ装置を載置して六角ボルト２２によって固定する。この場合、テーブル２１の連結部２１ａが保持ベース１０の連結孔１８内に挿入され、テーブル２１の吸引孔２１ｂと保持ベース１０の連通孔１２が連通する。これにより連通孔１２は、吸引孔２１ｂに連通するバキューム装置２３に連通する。なお、バキューム装置２３は光ディスク装置に接続されており、その作動が制御される。
【００２５】
このように構成された光ディスクのクランプ装置を使用するに際して作業者は、まず、図示しない電源スイッチの投入により光ディスク装置の作動を開始させる。そして、光ディスクＤＫをクランプ装置上にセットする。この光ディスクＤＫがクランプ装置にセットされる過程を図４（Ａ）〜（Ｃ）を用いて説明する。
【００２６】
まず、作業者は、クランプ装置の押圧部材３７の上方から光ディスクＤＫの中心孔を同押圧部材３７に嵌め込む。この場合、図４（Ａ）に示すように、光ディスクＤＫは、押圧部材３７の第２外径部３７ｂに沿って下降し、光ディスクＤＫの内周面が押圧部材３７の切り欠き３７ｃから突出する各クランプボール３２の一部に当接して同各クランプボール３２を径方向内側に押圧する。各クランプボール３２は、押圧体３３のテーパ部３３ａを径方向内側に押圧し、同押圧体３３は、テーパ部３３ａが受けた力の垂直方向成分によってコイルスプリング３４の付勢力に抗しながら上方に移動する。すなわち、各クランプボール３２は、コイルスプリング３４の付勢力に抗しながら径方向内側に移動する。
【００２７】
次に、図４（Ｂ）に示すように、光ディスクＤＫが保持ベース１０の載置面１５上に載置された場合には、各クランプボール３２は、光ディスクＤＫの内周面によって径方向内側に押圧された状態となる。一方、各クランプボール３２は、押圧体３３を介してコイルスプリング３４によって径方向外側に付勢されている。これにより、光ディスクＤＫは、各クランプボール３２が光ディスクＤＫの内周面を押圧する力により保持ベース１０に固定される。この場合、光ディスクＤＫの盤面が載置面１５に設けられた溝部１６，１７を塞ぐ。
【００２８】
次に、作業者は、図４（Ｃ）に示すように、各クランプボール３２の位置を固定する。具体的には、作業者は、光ディスク装置の入力装置（図示せず）を操作してバキューム装置２３の作動を指示する。この指示に応答して、バキューム装置２３は、吸引動作を開始する。この場合、テーブル２１の吸引孔２１ｂ、連通孔１２、孔部１３ａおよび孔部３５ｄを介して空間３８内の空気が吸引され、同空間３８内の負圧により押圧部材３７が下方に移動する。押圧部材３７が下方に移動した場合、押圧部材３７の内部上面が弾性部材３６を弾性変形させながら下方に移動する。そして押圧部材３７の各切り欠き３７ｃの上面３７ｄが、各クランプボール３２の上側の表面を押圧して各クランプボール３２の位置が固定される。
【００２９】
また、これと同時に、吸引孔２１ｂ、連通孔１２および孔部１６ａ，１７ａを介して溝部１６，１７内の空気が吸引され、同溝部１６，１７内の負圧により光ディスクＤＫが下方に吸引されて載置面１５に吸着される。これにより、光ディスクＤＫがクランプ装置上にセットされる。そして、作業者は、クランプ装置上にセットされた光ディスクＤＫに対して信号の記録、または光ディスクＤＫに記録された信号の再生を光ディスク装置に指示する。この指示に応答して光ディスク装置は、スピンドルモータを駆動してクランプ装置を含む光ディスクＤＫを所定の回転数で回転させて、同光ディスクＤＫに対して信号の記録、または光ディスクＤＫに記録された信号の再生を実行する。
【００３０】
この場合、光ディスクＤＫを高速で回転させることにより各クランプボール３２に作用する径方向の力のバランスが崩れても、各クランプボール３２は押圧部材３７によって押圧されているため位置がずれることがない。このため、光ディスクＤＫが高速で回転している場合であっても、同光ディスクＤＫが正規のクランプ位置からずれたり、光ディスクＤＫがクランプ装置から脱落したりすることがない。この結果、光ディスクＤＫに対して正確に信号を記録し、または光ディスクＤＫに記録された信号を正確に再生することができる。
【００３１】
また、各クランプボール３２を押圧する方向は、各クランプボール３２が光ディスクＤＫを押圧する方向に直交するとともに、同各クランプボール３２の表面に対して垂直であるため、押圧部材３７が各クランプボール３２を押圧する力によって各クランプボール３２が光ディスクＤＫを押圧する力が増大することがない。このため、光ディスクＤＫの内周面を損傷することがない。さらに、各クランプボール３２の固定は光ディスクＤＫを固定した後に行うため、光ディスクＤＫをクランプ装置に着脱する際に同光ディスクＤＫを損傷することもない。これにより、光ディスクＤＫのクランプ装置への着脱作業の作業性を良好に維持することができる。
【００３２】
また、押圧部材３７が各クランプボール３２を押圧する際、押圧部材３７は弾性部材３６を弾性変形させながら各クランプボール３２を押圧する。このため、クランプボール３２およびクランプボール３２の取り付け位置に組み立て誤差があっても、すべてのクランプボール３２を略均一の力で押圧することができる。
【００３３】
さらに、本発明の実施にあたっては、上記実施形態に限定されるものではなく、本発明の目的を逸脱しない限りにおいて種々の変更が可能である。
【００３４】
上記実施形態においては、押圧部材３７を下方に移動させて各クランプボール３２を押圧するための駆動手段としてバキューム装置２３を用いたが、各クランプボール３２を押圧して固定できれば、これに限定されるものではない。また、駆動装置を用いず、コイルスプリング、板ばねなどの弾性部材を用いて各クランプボール３２を押圧するように構成してもよい。さらに、受体３５のフランジ部３５ｂの外周面にねじ部を設けるとともに、同ねじ部に対応して押圧部材３７の内周面にねじ部を設け、これら両ねじ部を螺合させて押圧部材３７を各クランプボール３２に押圧するように構成してもよい。
【００３５】
また、上記実施形態においては、光ディスクＤＫを保持ベース１０の載置面１５上にバキューム装置２３によって吸着するようにしたが、これを省略して、単に各クランプボール３２を径方向外側に付勢するコイルスプリング３４のみによって光ディスクＤＫを保持ベース１０上に固定するようにしてもよい。
【００３６】
また、上記実施形態においては、押圧体３３を介して各クランプボール３２をコイルスプリング３４によって付勢するように構成したが、これに限定されるものではない。例えば、各クランプボール３２の径方向内側にそれぞれコイルスプリングを配置して、同コイルスプリングによって直接各クランプボール３２を径方向外側に付勢するように構成してもよい。この場合、各コイルスプリングの一端と各クランプボール３２とを固着すれば、各クランプボール３２の径方向外側の変位量を規制することができる。
【００３７】
また、上記実施形態においては、弾性部材３６を受体３５のフランジ部３５ｂの上面に設けるようにしたが、押圧部材３７の下方への移動によって同押圧部材３７と対向する距離が短くなる部分であれば、これに限定されるものではない。例えば、各クランプボール３２の表面を押圧する部分、すなわち、押圧部材３７の切り欠き３７ｃの上面３７ｄに弾性部材を設けるようにしてもよい。これによっても、各クランプボール３２を略均一の力で押圧することができる。
【００３８】
さらに、上記実施形態においては、光ディスクＤＫに信号を記録し、または光ディスクＤＫに記録された信号を再生する光ディスク装置に本発明を適用したが、これに限定されるものではない。例えば、光ディスクＤＫに対して所定の検査を行う光ディスク検査装置、光ディスクＤＫを初期化する光ディスク初期化装置などにも広く適用できるものである。
【図面の簡単な説明】
【００３９】
【図１】本発明の一実施形態に係る光ディスクのクランプ装置の全体を示す斜視図である。
【図２】図１の光ディスクのクランプ装置を２−２線に沿って見た縦断面図である。
【図３】図１の光ディスクのクランプ装置の上面図である。
【図４】図２の光ディスクのクランプ装置に光ディスクをセットする過程を示した縦断面図であり、（Ａ）は光ディスクの内周面がクランプボールを押圧する状態を示しており、（Ｂ）は光ディスクが載置面に載置された状態を示しており、（Ｃ）は押圧部材がクランプボールを押圧した状態を示している。
【符号の説明】
【００４０】
ＤＫ…光ディスク、１０…保持ベース、１２…連通孔、１３…軸部、１５…載置面、１６，１７…溝部、２３…バキューム装置、３１…ボール受け、３２…クランプボール、３３…押圧体、３４…コイルスプリング、３５…受体、３６…弾性部材、３７…押圧部材、空間…３８、３９…ストッパーねじ。
【図１】
2006338805.tif 000003
【図２】
2006338805.tif 000004
【図３】
2006338805.tif 000005
【図４】
2006338805.tif 000006